(57)【要約】【課題】  衣料品およびスポーツ用具のためのメッセージングユニットを提供する。【解決手段】  本発明の一実施形態は、衣料品のためのメッセージングユニットであって、少なくとも１つの文字、少なくとも１つの数字、図記号、またはデザイン要素を提示し、ａ．前記少なくとも１つの文字も、少なくとも１つの数字も、図記号も、またはデザイン要素も形成しない光源と、ｂ．事象を検出するよう適合される少なくとも１つのセンサと、ｃ．前記少なくとも１つの数字、図記号またはデザイン要素が見る人によって認識され得るように、前記事象の検出に応答して前記光源の点滅を制御するよう適合されたコントローラとを含む、メッセージングユニットを提供する。【選択図】図１Ａ
2018096023.tif 000002
【特許請求の範囲】
【請求項１】
衣料品のためのメッセージングユニットであって、少なくとも１つの文字、少なくとも１つの数字、図記号、またはデザイン要素を提示し、
ａ．前記少なくとも１つの文字も、少なくとも１つの数字も、図記号も、またはデザイン要素も形成しない光源と、
ｂ．事象を検出するよう適合される少なくとも１つのセンサと、
ｃ．前記少なくとも１つの数字、図記号またはデザイン要素が見る人によって認識され得るように、前記事象の検出に応答して前記光源の点滅を制御するよう適合されたコントローラとを含む、メッセージングユニット。
【請求項２】
前記光源が発光ダイオードを備える、請求項１に記載のメッセージングユニット。
【請求項３】
前記光源が、１つの寸法の長さが１ｃｍ〜５ｃｍ、好ましくは１ｃｍ〜４ｃｍ、より好ましくは１ｃｍ〜３ｃｍ、さらに好ましくは１ｃｍ〜２ｃｍの範囲にある、請求項１または２に記載のメッセージングユニット。
【請求項４】
閾値の速度値に到達すると、前記コントローラが、前記光源の点滅を開始するようにさらに適合される、請求項１〜３のいずれか１項に記載のメッセージングユニット。
【請求項５】
閾値の加速度値に到達すると、前記コントローラが、前記光源の点滅を開始するようにさらに適合される、請求項１〜４のいずれか１項に記載のメッセージングユニット。
【請求項６】
前記閾値の加速度値が、１ｇ〜５ｇ、好ましくは１ｇ〜３ｇ、最も好ましくは１．５ｇ〜２．５ｇの範囲である、請求項５に記載のメッセージングユニット。
【請求項７】
前記少なくとも１つのセンサが動作の方向を判定するようにさらに適合されている、請求項１〜６のいずれか１項に記載のメッセージングユニット。
【請求項８】
前記コントローラは、前記判定された動作の方向が１つもしくは複数の所定の方向と類似しているか又は１つもしくは複数の所定の方向として認識される場合にのみ、点滅を開始するようにさらに適合されている、請求項７に記載のメッセージングユニット。
【請求項９】
前記所定の方向がボールのシュートに対応する、請求項８に記載のメッセージングユニット。
【請求項１０】
前記所定の方向が、前記衣料品の着用者のジャンプに対応する、請求項８に記載のメッセージングユニット。
【請求項１１】
前記コントローラが、前記動作の前記所定の方向の加速度値に依存して点滅の回数を制御するようにさらに適合されている、請求項１〜１０のいずれか１項に記載のメッセージングユニット。
【請求項１２】
前記少なくとも１つの文字、少なくとも１つの数字、図記号またはデザイン要素をプログラミングするための手段をさらに備える、請求項１〜１１のいずれか１項に記載のメッセージングユニット。
【請求項１３】
前記少なくとも１つの文字、少なくとも１つの数字、図記号またはデザイン要素を外部でプログラミングするためのインターフェースをさらに備える、請求項１〜１２のいずれか１項に記載のメッセージングユニット。
【請求項１４】
前記コントローラが、追加の外部信号の受信に依存して、複数の前記光源の点滅を開始するようにさらに適合されている、請求項１〜１３のいずれか１項に記載のメッセージングユニット。
【請求項１５】
前記コントローラが、好ましくは前記少なくとも１つのセンサを使用して、前記衣料品の着用者の走行距離および／またはスピードを追跡するようさらに適合されている、請求項１〜１４のいずれか１項に記載のメッセージングユニット。
【請求項１６】
前記少なくとも１つのセンサが、加速度計、ジャイロスコープ、磁気計、慣性計測ユニットなどの運動検知デバイス、接触スイッチもしくは近接センサなどの近接検知デバイス、または傾斜センサのような配向検知デバイスの群のうちの少なくとも１つを備える、請求項１〜１５のいずれか１項に記載のメッセージングユニット。
【請求項１７】
請求項１〜１６のいずれか１項に記載のメッセージングユニットを備える衣料品。
【請求項１８】
シューズ、特にスポーツシューズ、衣類、または着用できる装飾品である請求項１７に記載の衣料品。
【請求項１９】
前記衣料品が前記シューズで、前記光源が前記シューズの側方に配置されている、請求項１８に記載の衣料品。
【請求項２０】
前記衣料品が前記シューズで、前記光源が前記シューズのかかと部に配置されている、請求項１８または１９に記載の衣料品。
【発明の詳細な説明】
【技術分野】
【０００１】
本発明は、衣料品およびスポーツ用具のためのメッセージングユニットに関し、それは、少なくとも１つの文字、少なくとも１つの数字、図記号、またはデザイン要素を事象に応じて提示する。さらに、本発明はこのようなメッセージングユニットを含む衣料品にも関する。
【背景技術】
【０００２】
近年、テキストメッセージを表示するために点滅する発光ダイオード（ＬＥＤ）を含む、ファンまたは自転車の車輪のような、多くの回転可能なデバイスが市場に出てきている（たとえば、https://www.vimeo.com./71311095,“monkey light pro”, https://www.youtube.com/watch?v=XDdygLS8qjw or“Visual Poi V3”, https://www.youtube.com/watch?v=LGyoneDXxAEを参照）。これらのデバイスは、「視覚残留」原理を使用する。視覚残留（ＰＯＶ）は、（１０ｍｓ〜４０ｍｓ程度の）短時間に残像が存在する、人間の視覚の現象を指す。ＰＯＶ表示は、十分大きい回転数で円形経路に沿ってＬＥＤの一次元列を回転することと、ＬＥＤの点滅を制御することによってこの現象を利用して、その結果二次元画像が目に見える。
【０００３】
衣料品およびスポーツ用具は、一般に特定の機能をユーザに提供する。たとえばシューズ、特にスポーツシューズは、一般的に足と地面との間の摩擦を提供し、スポーツの特定の態様を促進または容易にし、また足を防護する。従来技術において、光または画像の表示デバイスを、シューズ、衣料品、または衣服に提供して、それらの外観を変化させるか、または視認性を強調することが一般的に知られている。このようなデバイスまたは光は、たとえば衣服の製造者または特定のスポーツチームのロゴなどの様々な図形要素を表示することができる。このような表示の装備は、用具またはシューズの主な機能にしばしば悪影響を与えるか、または干渉する。
【０００４】
シューズのための、様々な光配置デバイスまたは画像表示デバイスが知られている。たとえば、米国特許出願公開第２０１５／０２９００５（Ａ１）号明細書は、遠隔作動される電飾シューズを開示しており、その電飾は、キーホルダまたはスマートフォンなどの携帯作動デバイスによって制御され、それによってシューズの一部を様々なバーストモードで電飾する。
【０００５】
他の例が、米国特許第８４７４１４６（Ｂ２）号明細書、米国特許第８７６９８３６（Ｂ２）号明細書、米国特許第９２２６５４２（Ｂ２）号明細書、および米国特許第８６５０７６４（Ｂ２）号明細書に記載されており、それらは、ユーザの移動距離のような性能パラメータに応答して、色を変化させることができる色変化部分を伴うフットウェア物品を開示している。
【０００６】
米国特許第８９８２１５０（Ｂ２）号明細書は、フットウェアの電子ディスプレイ上に販売促進コンテンツを表示することによって、フットウェア上で広告するためのシステムを記載しており、販売促進コンテンツは、フットウェアの外面の２５％〜１００％を占有して表示される。さらにコンテンツは、時刻、フットウェアの運動速度、およびフットウェアの周囲の環境照明条件を含む、複数の条件によって表示され得る。
【０００７】
色変化特性を有する編まれた構成要素を組み入れているアッパーを含むフットウェア物品が、米国特許第９０７８４８８（Ｂ１）号明細書で提供されている。色変化特性は、フットウェア物品のアッパーにわたって配設される１つまたは複数のレンチキュラーニット構造によって生成される。レンチキュラーニット構造は、見る角度によってフットウェア物品の色を変化させる視覚効果を生成する。
【０００８】
米国特許出願公開第２０１４／２６８８３９（Ａ１）号明細書は、間近の車両による自動二輪車の存在の認識を高めるため、自動二輪車またはスクータのライダーの衣料品もしくは着用衣服のための電飾デバイスを開示している。電飾デバイスは、他の光源の変化または車両の接近に応答して衣料品または衣服の電飾を変化させる。
【０００９】
米国特許第８５１６７２４（Ｂ２）号明細書、米国特許第９２１６５５２（Ｂ２）号明細書、および米国特許出願公開第２０１６／００８９８１６（Ａ１）号明細書は、たとえばシューズなどの衣料品に画像を表示するためのデバイスを開示している。それは、表示層の隆起部および凹部を使用して、光の透過率を変化させて画像を生成する。
【００１０】
他の従来技術として、フットウェア上に画像、アニメーション、またはビデオを表示するために使用され得る取り外し可能な電子ディスプレイを開示している、米国特許第９３０１５７３（Ｂ２）号明細書、ならびに、Ｂｌｕｅｔｏｏｔｈ技術などの標準の短距離無線を用いて、ユーザによって光強度および色を変えることができるＬＥＤ光を含むフットウェアのソールに埋め込まれたＬＥＤ光を記載している、国際公開第２０１６／０４０９６５（Ａ１）号パンフレットが挙げられる。
【００１１】
しかし、スポーツ用具のための既知の光配置もしくは画像表示デバイスの共通の不利点は、それらはいずれも１つもしくは複数の静止画像を提供するが、典型的に非常に小さいために観客に情報を提供するのに適しておらず、または、非常にかさばって重いので、ユーザすなわち着用者のパフォーマンス、および用具の機能を低下させることがある。そのため従来技術のデバイスの使用では、たとえばプロのサッカー選手のシューズに、計測もしくは事象に対応する情報およびデザイン要素を、性能を損ねることなく、競技場もしくはテレビの前の観客によって正確に認識され得るように提示させることは、現在では不可能である。
【００１２】
したがって、本発明の基本的な課題は、従来技術の上述の欠点を少なくとも部分的に克服するために、文字、数字、図記号またはデザイン要素を衣料品およびスポーツ用具に提示するための、改善されたデバイスを提供することである。
【先行技術文献】
【特許文献】
【００１３】
【特許文献１】米国特許出願公開第２０１５／０２９００５（Ａ１）号明細書
【特許文献２】米国特許第８４７４１４６（Ｂ２）号明細書
【特許文献３】米国特許第８７６９８３６（Ｂ２）号明細書
【特許文献４】米国特許第９２２６５４２（Ｂ２）号明細書
【特許文献５】米国特許第８６５０７６４（Ｂ２）号明細書
【特許文献６】米国特許第８９８２１５０（Ｂ２）号明細書
【特許文献７】米国特許第９０７８４８８（Ｂ１）号明細書
【特許文献８】米国特許出願公開第２０１４／２６８８３９（Ａ１）号明細書
【特許文献９】米国特許第８５１６７２４（Ｂ２）号明細書
【特許文献１０】米国特許第９２１６５５２（Ｂ２）号明細書
【特許文献１１】米国特許出願公開第２０１６／００８９８１６（Ａ１）号明細書
【特許文献１２】米国特許第９３０１５７３（Ｂ２）号明細書
【特許文献１３】国際公開第２０１６／０４０９６５（Ａ１）号パンフレット
【発明の概要】
【課題を解決するための手段】
【００１４】
この課題は、本発明によるメッセージングユニットによって、少なくとも部分的に解決される。一実施形態において、メッセージングユニットは、少なくとも１つの文字も、少なくとも１つの数字も、図記号も、デザイン要素も形成しない光源と、事象を検出するように適合される少なくとも１つのセンサと、事象の検出に対応して光源の点滅を制御するコントローラとを備え、それによって、少なくとも１つの文字、少なくとも１つの数字、図記号、またはデザイン要素が見る人に認識され得る。用途によって、この見る人は、観客、もしくはこのようなメッセージングユニットを含む衣料品の着用者、またはこのようなメッセージングユニットを含むスポーツ用具の使用者であってよい。
【００１５】
従来技術が、全体の表示要素、もしくは文字、数字、図記号、またはデザイン要素を直接提示する光源の配置のどちらかに関係する一方で、本発明は基本的に異なるアプローチに基づいており、衣料品もしくはスポーツ用具を操作もしくは着用する人の動き、または作用を利用して、見る人に認識される画像を生成する。記載される実施形態のメッセージングユニットは、たとえば複数の光ユニットの配置などの光源を備える。この光源は、文字も、数字も、図記号もデザイン要素も形成しないが、適切な制御と、「視覚残留」の効果を使用する光源の動きとの組み合わせによって、このような文字、数字、図記号、またはデザイン要素を、見る人の視野に生成する。たとえば、光源は単に複数のＬＥＤの薄いストリップでもよく、それらはコントローラからの入力に応答してオンとオフに切り替えられる。この点滅するストリップが、衣料品またはスポーツ用具と一緒に速く動かされると、見る人の頭に画像が形成され、それによって文字、数字、図記号、またはデザイン要素などの提示に対する感知がもたらされる。
【００１６】
そのため、発光を生成する実際のデバイスは、表示される画像のほんの一部のサイズでしかない。その結果、本発明は初めて、文字、数字、図記号、またはデザイン要素の画像を、衣料品もしくはスポーツ用具に生成するための小型軽量デバイスを提供し、それによってたとえばプロもしくはアマチュアのアスリートの着用者をライブもしくはテレビ放送を見ている観客によって、またはプロもしくはアマチュアのアスリート自身によって感知され得る。従来技術とは対照的に、着用者の動きを著しく妨げることがなく、その結果、着用者のパフォーマンスに、あるとしても無視できるほどの影響しか与えない。
【００１７】
ＬＥＤが装備された既知の回転可能なデバイスとは対照的に、衣料品またはスポーツ用具の動きのスピード、および動きの方向、ならびにそれに伴うメッセージングユニットは一様ではなく、動きの方向は変えることができる。これはコントローラの操作に考慮され得る。そのためコントローラは、衣料品またはスポーツ用具の動きの演繹的知識、以前の動作サイクルの計測、または現在の動きの計測のいずれかを使用して光源の動作を制御する。この操作を補助するために、メッセージングユニットは、限定ではないが、加速度計、ジャイロスコープ、磁気計、慣性計測ユニットなどの動作検知デバイスか、接点スイッチもしくは近接センサなどの近接検知デバイスか、または傾斜センサなどの配向検知デバイスなどの、１つまたは複数のセンサを含んでもよい。衣料品またはスポーツ用具の動き、（絶対的または相対的）位置、配向、または（他の対象物への）近接を判定するための、他の好適なデバイスが、当業者に知られている。検知され得るパラメータとして、（直線もしくは角度の）動きの変位量、速度、減速度、加速度、または方向と、移動総距離と、衝撃が検出されてから経過した時間または（直線もしくは角度の）移動した距離と、ステップが開始されてから経過した時間または移動した距離と、ステップが完了してから経過した時間と、地面、対象物、または他の人への近接性と、重力に対する傾斜または外部基準に対する位置と、これらのパラメータの変化の組み合わせと、またはほんの少数の例としてこれらのパラメータの変動における特定のパターンと、が挙げられる。
【００１８】
好ましい一実施形態において、光源は発光ダイオード（ＬＥＤ）を備える。これらのダイオードは、単色または多色であってよい。レーザーダイオード、液晶ディプレイ（ＬＣＤ）、デジタルライトプロジェクタ（ＤＬＰ）、有機発光ダイオード（ＯＬＥＤ）、または白熱光源などの、他の光源もまた本発明に使用でき、それらは当業者に知られている。「光源」という用語は広義に解釈されるべきであって、光を生成するデバイスのみではなく、制御可能な方法で外部源から生成された光を反射もしくは修正するデバイス、たとえば反射器、再帰反射器、フィルタ、波長可変フィルタ、またはほんの少数の例として吸収器もまた含むことができる。光源をオンとオフに切り替えることに加えて、さらに連続する方法で光の放射、吸収、もしくは反射を変化させることによっても、または、たとえば光源、反射要素、もしくは吸収要素を傾けることで光源の配置もしくは整合を変化させることによっても、画像を制御することが可能である。
【００１９】
本発明の好ましい一実施形態によると、ＬＥＤは、（軟質または硬質でよい）プリント基板上の表面実装型ＬＥＤとすることができる。さらに光源は、１つの寸法が１ｃｍ〜１０ｃｍ、好ましくは１ｃｍ〜５ｃｍ、より好ましくは１ｃｍ〜３ｃｍの範囲の長さであってよい。本発明者は、このようなＬＥＤが、文字、図要素、およびデザイン要素の改善された表示と、ＬＥＤの重さおよび取り付けの柔軟性との間の良好な折り合いを提供することを見出した。
【００２０】
本発明の好ましい実施形態において、複数の光ユニットなどの光源が１列に配置される。代替として、光源は円弧形または円形の列に配置される。また、複数列の配置、複数の円弧形または他の二次元配置も使用され得る。メッセージングユニットの動きに依存する「視覚残留画像」に追加または組み合わせて複数列に光源を配置することによって、静止画像を表示することが可能となる。さらに、複数列の光源を使用することによって、「視覚残留」画像の表示に要する閾値スピードも低減することになる。
【００２１】
好ましい一実施形態において、メッセージングユニットは、事象に応答してメッセージ、画像、ロゴまたはパターンを表示するように構成されてもよい。たとえばこの事象は、プロもしくはアマチュアのアスリートの着用者などが、たとえばあるスピードに到達する、ある速度もしくはある高さにジャンプする、ある力でボールを蹴るもしくは投げる、またはポイントもしくはゴールを得点する、などの特定の目標を達成することであってもよい。代替として、事象は、衣料品またはスポーツ用具が、たとえば移動、スピード、加速、または衝撃に関する特徴的な動作、パフォーマンス目標もしくは閾値を達成し、これらのパラメータの変動もしくは変化の中の特定のパターン、またはそれらの組み合わせを達成することであってもよい。さらに別の事象は、観客が、遠隔制御を使用するメッセージングユニットによって表示を誘発するか、または着用者によって達成される目標を設定することであってもよく、それによって、観客が着用者および衣料品またはスポーツ用具と相互作用することを可能にする。別の事象として、スイッチをオン／オフすることもあり得る。加えて、事象は前述の任意の組み合わせであってもよい。
【００２２】
本発明の好ましい一実施形態において、メッセージングユニットは、光源の点滅を開始して閾値の速度値に到達したときに、メッセージ、画像、ロゴまたはパターンを作り出すように適合され得る。代替または追加として、特定の加速度値に到達したときだけ点滅を開始してもよい。さらに、閾値の加速度値は１ｇ〜５ｇ、好ましくは１ｇ〜３ｇ、最も好ましくは１．５ｇ〜２．５ｇの範囲であってもよい。本発明者は、このような閾値の加速度値が判定された後で点滅が開始される場合、シューズなどの衣料品の動きの速度は推測でき、点滅回数は、単語全体および／または図要素全体を提示するために最適化され得ることを認識した。さらに、特定の閾値の加速度値または速度値に到達したときだけメッセージを表示することは、不要な光源の点滅を防止し、それによって電力消費が低減でき、観客は過度な不自由を感じたり、または気を散らされることがない。
【００２３】
計測ユニットの少なくとも１つのセンサが、動作の方向を判定するように適合され、それにしたがって光源の動作が適合されてもよい。これによって、たとえば単語、数字、またはロゴが、読まれるか、または認識されるように表示され得る。
【００２４】
さらにコントローラは、判定された動作の方向が１つもしくは複数の所定の方向と同様であるか、もしくはそのように認識されたとき、または特定もしくは所定の動きパターンに従うときだけ、点滅を開始するように適合され得る。このような実施形態は、上述の同じ発想に従う。すなわち、不要な点滅を防止し、それによって電力消費ならびに／または他の着用者および観客が気を散らすのを低減する。以下でさらに説明するが、たとえば動作の所定の方向が、１つもしくは複数の所定の方向と同様であるか、またはそのように認識されたときだけ、文字、図要素またはデザイン要素は提示されてよい。これによって、光源の点滅を開始するさらなる選択的な方法が可能になり、メッセージ表示は衣料品またはスポーツ用具、特にスポーツシューズなどのシューズの動きと結合され得る。
【００２５】
この所定の方向は、ボールをシュートすることに対応し得る。さらに所定の方向は、衣料品またはスポーツ用具の着用者のジャンプに対応し得る。所定の方向はまた、好ましいか、もしくは最適な動きの経路に従った、ラケットまたはバットに関連し得る。これらの動きが実現されたときにメッセージを表示することによって、試合／スポーツにおいて特定のゴール、または中心的もしくは重要なアクションの達成である「成功」を、観客または着用者に示すことができる。このような動きだけのために点滅が始まる場合、メッセージングユニットは可能な限り小さい電力だけ消費し、試合中、トレーニングセッション中、および／またはいくつかの試合中もしくはトレーニングセッション中に充電する必要がないかもしれない。
【００２６】
メッセージングユニットは、点滅もしくはより一般的に文字、数字、図要素、もしくはデザイン要素の画像を制御するために、加速度値に依拠して、または動作の所定の方向の計測に依拠して点滅回数を制御するように、さらに適合され得る。代替として、推定された、導出された、または判定された動きのスピードもまた、使用され得る。このようなメッセージングユニットは、文字、図要素、またはデザイン要素を提示するための、より良好なアプローチを提供し得る。たとえばコントローラは、シューズなどの衣料品もしくはスポーツ用具の速度を計算してもよく、その結果、文字、図要素、もしくはデザイン要素の寸法は提示のために最適化される。それによって、メッセージングユニットはより高い解像度を提供できて、表示されるアイテムの任意のゆがみを軽減し得る。
【００２７】
さらにメッセージングユニットは、光源の点滅パターンを、写真上の表示のキャプチャ、テレビの記録、またはビデオに最適となるように適合させることによって、事象に応答して少なくとも１つの文字、少なくとも１つの数字、図記号またはデザイン要素を調整し得る。
【００２８】
本発明によるメッセージングユニットは、少なくとも１つの文字、図記号、またはデザイン要素のプログラミング方法をさらに含む。たとえば、メッセージングユニットのコントローラは、プロセッサおよびデータ記憶装置を備えることができ、文字、図要素、またはデザイン要素が上記の説明のように表示されるように、光源の点滅のための命令が記憶され得る。命令は、文字、図記号、またはデザイン要素を点滅シーケンスに変換して、文字、数字、図要素、またはデザイン要素の視覚残留画像を作り出すための、コントローラのプロセッサによって使用されるプログラミングスキームを提供し得る。
【００２９】
本発明によるメッセージングユニットは、少なくとも１つの文字、図記号、またはデザイン要素を外部でプログラミングするためのインターフェースをさらに含んでもよい。インターフェースは、ワイヤレスまたは有線で、メッセージングユニットに結合され得る。それによって、スポーツ用具の着用者、シューズの着用者、または観客は、表示されるアイテムをプログラミングできる。加えて、表示を誘発し制御するために使用される、たとえば閾値の速度、加速度、または上記で説明した所定の方向などの動作、および事象パラメータなどの他のパラメータもまた外部でプログラミングされることが考えられる。たとえばメッセージングユニットは、「サッカー」、「バスケットボール」、「アメリカンフットボール」など複数の所定のプロフィールを、提供または受入れるように適用され得る。それらプロフィールは着用者によって容易に選択でき、次に何をどのような条件で表示するかを定めることができる。
【００３０】
コントローラは、追加の外部信号の受信によって光源の点滅を開始するように、さらに適合され得る。このような実施形態は、追加の外部信号が点滅を開始し得るように、追加の情報またはデザイン要素の表示がより選択的になる可能性を提供し得る。たとえば、サッカー選手がショットまたはロングパスなどの特定の動きをした場合に、テレビのライブディレクタのような別の人、またはコンピュータのプログラムによって、追加の外部信号をメッセージングユニットにワイヤレスで送信することができる。これによって、実際の観客および／またはテレビもしくはスマートフォン／モバイルデバイスの前の観客のために、試合の公開の価値を選択的に高めることができる。代替として、メッセージングユニットの点滅は、外部信号の受信と、事象またはパフォーマンスの目的との組み合わせに依存し得る。
【００３１】
コントローラは、衣料品またはスポーツ用具の着用者の走行距離および／またはスピードを、好ましくは少なくとも１つのセンサを使用して追跡するように、さらに適用され得る。このような実施形態は、着用者の情報を、競技場またはテレビもしくはスマートフォン／モバイルデバイスの前の観客に迅速に提示するための、専用のメッセージングユニットを提供する。
【００３２】
メッセージは事象の簡単な表示でよく、事象を特徴付けてよく、事象に関する情報を表現してよく、広告、着用者の詳細、パフォーマンスの詳細、装飾、またはほんの少数の例として芸術的な表現などの事象に関する情報を通信してもよい。
【００３３】
本発明の１つの例において、メッセージングユニットを備えるサッカーシューズが提供される。サッカー選手がボールをシュートすると、そのショットおよび／またはそのサッカー選手の情報を提供するために、シューズのメッセージングユニットはボールのスピードまたはサッカー選手の名前を提示してもよい。
【００３４】
別の例として、赤色および黄色のフレームのようなデザイン要素が、特定のショットが例外的に強いことを示すために、このようなメッセージングユニットによって表示され得ることも考えられる。さらに、このような閾値の加速度値が複数の光源の不要な点滅を防止して、それによって電力消費が低減でき、観客は過度な不自由を感じたり、または気を散らされることがない。
【００３５】
本発明のメッセージングユニットは、スポーツシューズ、たとえばスカート、スリーブ、パンツ、ジャケットなどのスポーツ衣服などの衣料品、または、プロもしくはアマチュアのアスリートによって着用もしくは使用される、ヘルメット、グローブ、たとえばテニス、バドミントン、スカッシュもしくは卓球に使用されるラケット、たとえば野球もしくはクリケットに使用されるバット、ゴルフクラブ、たとえばアイスホッケーに使用されるスティック、ボール、スキー、スノーボード、サーフボード、カイト、自転車、もしくは当業者に知られている他のスポーツ用品に、組み入れられてよい。
【００３６】
メッセージングユニットは、恒久的に衣料品またはスポーツ用具に組み入れられるか、または固定されてよい。代替として、メッセージングユニットは取り外し可能であってもよい。
【００３７】
メッセージングユニットを備える衣料品またはスポーツ用具の要素は、１つの小型ユニットに位置されてもよい。代替として、本発明の一実施形態において、構成要素は離れた位置に分配される。要素を分配して配置することによって、メッセージを、センサまたはコントローラの箇所と異なる位置に表示できることが、有益となり得る。したがって、センサを最適な箇所に位置付けることによって、メッセージ表示を誘発する事象の検出を最適化することが可能になる一方で、観客もしくは着用者のいずれかによって、最適な位置もしくは角度でメッセージが生成され、かつメッセージが見られるようにできる。メッセージングユニットの部品が異なる箇所に位置付けられる場合、これらの部品は、有線、またはＢｌｕｅｔｏｏｔｈ、Ｂｌｕｅｔｏｏｔｈ  ｌｏｗ  ｅｎｅｒｇｙ（ＢＴＬＥ）、ＺｉｇＢｅｅ、近距離無線通信（ＮＦＣ）、Ｗｉ−Ｆｉ、および当業者に知られている他の通信方法などのコンタクトレスな通信方法のいずれかによって通信できる。
【００３８】
別の態様によると、本発明は、上述のメッセージングユニットを備える衣料品に関する。さらに、衣料品は、シューズ、特にスポーツシューズ、衣類、または着用できる装飾品であってよい。シューズの場合、メッセージングユニットはシューズの側方に配置され得る。さらに、メッセージングユニットはシューズのかかと部分に配置され得る。シューズ上のこのようなメッセージングユニットの配置は、文字、図要素またはデザイン要素を、競技場、またはテレビ、もしくはスマートフォン／モバイルデバイスの前の観客に提示する最適な方法を提供する。側方とは、観客に面する側を表わす。また、かかと部分は、ボールをシュートするときにあまり使用されないシューズの部分を表わし、したがって一般に、メッセージングユニットを配置するための好ましい部分を提供している。中央側、前部、中足部、甲部など、シューズの任意の他の部分が、本発明によるメッセージングユニットを備えてもよいことに留意されたい。
【００３９】
一実施形態において、メッセージングユニットはレースなしでシューズに一体化される。その結果、光源上にレースが邪魔をして覆うことを防止して、それによって文字、数字、図要素またはデザイン要素が明確に認識され得る。
【００４０】
またメッセージングユニットは、情報、数字、文字、記号またはデザイン要素を、着用者たとえばアスリートに提示できるように、配置され得る。この表示は、現在のパフォーマンスについての情報を提供することができ、フィードバックを与え、アスリートを奮起させる特定のアクションまたは努力を助長する。また、この表示は、天候、空気の状態、試合の状態、他の選手の位置などの周辺の情報も提供する。
【００４１】
本発明の態様を、以下の添付の図面を参照してさらに詳細を説明する。
【図面の簡単な説明】
【００４２】
【図１Ａ】本発明による、少なくとも１つの文字、少なくとも１つの数字、図要素、またはデザイン要素を提示するシューズのためのメッセージングユニットの、概略実施形態および代表的な実施形態である。
【図１Ｂ】本発明による、少なくとも１つの文字、少なくとも１つの数字、図要素、またはデザイン要素を提示するシューズのためのメッセージングユニットの、概略実施形態および代表的な実施形態である。
【図１Ｃ】本発明による、少なくとも１つの文字、少なくとも１つの数字、図要素、またはデザイン要素を提示するシューズのためのメッセージングユニットの、概略実施形態および代表的な実施形態である。
【図２Ａ】本発明によるメッセージングユニットを備えるシューズ、および少なくとも１つの文字、少なくとも１つの数字、図要素またはデザイン要素を提示するための、本発明の基礎を成す原則の例示である。
【図２Ｂ】本発明によるメッセージングユニットを備えるシューズ、および少なくとも１つの文字、少なくとも１つの数字、図要素またはデザイン要素を提示するための、本発明の基礎を成す原則の例示である。
【図２Ｃ】本発明によるメッセージングユニットを備えるシューズ、および少なくとも１つの文字、少なくとも１つの数字、図要素またはデザイン要素を提示するための、本発明の基礎を成す原則の例示である。
【図２Ｄ】本発明によるメッセージングユニットを備えるシューズ、および少なくとも１つの文字、少なくとも１つの数字、図要素またはデザイン要素を提示するための、本発明の基礎を成す原則の例示である。
【発明を実施するための形態】
【００４３】
本発明の考えられる実施形態および変形が、特にサッカーシューズを参照して以下に記載される。しかし本発明のコンセプトは、ランニング、バスケットボール、ラグビー、アメリカンフットボール、サイクリング、および運動競技、特に短距離競争、高跳び、棒高跳び、ならびに他の種類の運動競技、ならびに任意の他の団体スポーツなどの、速いスピードを伴う動きに使用される任意のスポーツシューズに、同様または類似して適用され得る。さらに本発明の基礎を成す原則は、一般生活状況におけるカジュアルシューズ、または作業ブーツのような安全シューズなど、任意のシューズにも適用され得る。さらに本発明の基礎を成す原則は、たとえばサッカー、ラグビー、アメリカンフットボール、バスケットボール、野球のボールなどの任意のスポーツ用具、またはテニスラケット、ゴルフクラブ、野球のバット、バドミントンのラケット、クリケットのバット、アイスホッケーのスティック、ホッケーのスティック、スカッシュのラケット、卓球のラケット、ボクシンググローブ、スキー、スノーボード、カイトなどのスポーツ用具にも適用され得る。
【００４４】
さらに、限定された数の実施形態が、以下に簡単に記載される。しかし、これらの実施形態を参照して記載された特定の特徴は、別の方法で変更および組み合わされてもよいこと、および特有の実施形態の特定の態様を省略し得ることを、当業者は理解するであろう。さらに、後続の詳細な記載は、上記の発明の概要に記載された態様と組み合わせてもよいことに、留意されたい。
【００４５】
図１Ａは、本発明による少なくとも１つの文字、少なくとも１つの数字、図要素、またはデザイン要素を提示する衣料品であるサッカーシューズのためのメッセージングユニット１００の、詳細な一実施形態の概略図を提示する。このようなメッセージユニットの例が、図１Ｂに示される。図１Ａの概略実施形態において、メッセージングユニット１００は光源１１０を備える。光源は、少なくとも１つの文字も、少なくとも１つの数字も、図記号も、デザイン要素も形成しない。光源１１０は、発光ダイオード（ＬＥＤ）、液晶ディスプレイ（ＬＣＤ）、デジタルライトプロジェクタ（ＤＬＰ）、有機発光ダイオード（ＯＬＥＤ）、白熱光源、エレクトロクロミックデバイスなどであってよく、それらは１つまたは複数の列に配置され得る。
【００４６】
図１Ｂの代表的な実施形態に示されるように、この詳細な例の光源１１０は、点滅のためにプリント基板上の１列にほぼ等間隔に配置された、１１個の表面実装型ＬＥＤを備え、それによって、少なくとも１つの文字、少なくとも１つの数字、図記号、またはデザイン要素が表示され得る。この例における列は、図２Ｂに示されるサッカーシューズの寸法に適応するように、約５ｃｍの長さである。この数と配置は、文字、図要素、およびデザイン要素の改善された表示と、シューズ（図１Ｂには示さず）に簡単に一体化させるための軽量で小さいサイズとの間で、この用途のために良好な折り合いを提供し、その結果、シューズの着用者の動きに悪影響を与えない。
【００４７】
図１Ａの概略実施形態において、メッセージングユニット１００は、たとえばメッセージングユニット１００、および動いているシューズなどの関連するスポーツ用具の加速度などの、関係するパラメータを判定するように適合される、少なくとも１つのセンサ１２０を備えてもよい。図１Ｂに示される詳細な例において、このセンサは、シューズの長手軸にそって加速度を検出するように構成される、三軸加速度計である。上述のジャイロスコープ、電磁計などの、他のセンサも考えられる。
【００４８】
さらに、メッセージングユニット１００は、少なくとも１つのセンサ１２０、および光源１１０に接続され得るコントローラ１３０を備える。コントローラ１３０は、光源１１０の点滅を制御するように適合され、それによって、メッセージングユニットが上記の説明のように動くとき、少なくとも１つの文字、少なくとも１つの数字、図記号、またはデザイン要素が表示され得る。さらにコントローラ１３０は、プロセッサ１３３およびデータ記憶装置１３５を備えてもよい。図１Ｂに示される詳細な例において、このコントローラは、関連するプログラムを有するマイクロプロセッサ、およびデータ記憶装置である。
【００４９】
プロセッサ１３３は、閾値の加速度値に到達したときに、光源１１０の点滅を開始するように適合され得る。閾値の加速度値は、１ｇ〜５ｇ、好ましくは１ｇ〜３ｇ、最も好ましくは１．５ｇ〜２．５ｇの範囲であってよい。この閾値の加速度を検出することによって、図２Ｃおよび図２Ｄに示されるように、メッセージングユニットが十分なスピードで動いて、確実に認識可能な画像を見る人に表示する。
【００５０】
図１Ａの概略実施形態に示されるように、メッセージングユニット１００は、電源またはエネルギー貯蔵デバイス１４０をさらに備えてよい。図１Ｂに示される詳細な例において、この電源はバッテリであり、より正確には、ＬＥＤ１１０と、コントローラ１３０と、少なくとも１つのセンサ１２０とに電力を供給する、約３Ｖ（ＣＲ２０１６）の電圧を有する２コイン型バッテリである。使い捨て、または充電式バッテリ、リチウムイオンバッテリ、環境発電要素、圧電システム、コンデンサなど、当技術分野で知られている任意の他の電源を使用することも可能である。
【００５１】
電源は、オン／オフのスイッチ（図１Ｂには示されない）にも連結されてよく、それによって、たとえばユニットが保管中のときに、電源を残りの回路から外すことが可能になる。スイッチは手動スイッチ、静電容量型スイッチ、回転スイッチ、トグルスイッチ、ナイフスイッチ、押しボタン、または、電気回路を遮断して電流を遮り、もしくは電流を１つの導体から他の導体に転換することができる、任意の他の好適なスイッチであってよい。
【００５２】
この詳細な例において、スイッチは可撓性ワイヤ１７０によってハウジング１１７に結合されている。このようなスイッチは、メッセージングユニット１００をオン／オフに切り替えることができる。したがって、たとえばプロのアスリートなどの着用者は、公開試合の前にメッセージングユニット１００をオンに切り替えることができ、それによって、その時点から特定の動きに関するメッセージが表示される。さらに、自動起動を実行する機能を有することも考えられる。それは、メッセージングユニット１００がスリープ／低電力モードにあり、着用者の特定の動きもしくはアクション、または外部の事象、もしくは手をたたく音などの信号を介して作動されるものである。
【００５３】
メッセージングユニット１００は、プログラミング手段１５０と、充電、電力供給、またはプログラミングのためにユニットを外部装置とインターフェースする手段１６０とを備えてよい。図１Ｂに示される例において、着用者は、ＵＳＢポートをインターフェース１６０として使用し、メッセージングユニットとインターフェースするコンピュータまたはスマートフォンを使用して、表示される記号、図、文字、数字、またはデザイン要素をプログラミングし直すことができる。ＵＳＢポートは安価、使用が簡単、かつ、コンピュータ、ラップトップ、スマートフォンなどの様々な外部デバイスと動作する、共通規格を提供する。加えて、このようなインターフェース１６０は、電力が、文字、図要素、またはデザイン要素を提示するためのコントローラのみに使用されるので、電力消費をさらに低減し得る。着用者は、コンピュータプログラムもしくはアプリケーションを使用して、事前プログラムライブラリから表示要素を事前選択でき、または着用者自身のデザイン要素を作り出すことができる。
【００５４】
一実施形態において、メッセージングユニット１００は、上記のような特定の音または手をたたく音、着用者および／もしくは観客による特定の指令、ならびに作動などの外部信号を検出するための、少なくとも１つのマイクロホン１６５をさらに備える。
【００５５】
図１Ｂに示される詳細な例において、コントローラ、電源、およびプログラミングインターフェースは、共通のプリント基板（ｐｃｂ）に配置されている。光源は、リボンケーブルを使用してコントローラに連結される離れたｐｃｂ上に配置され得る。
【００５６】
図１Ｂに示される、本発明による少なくとも１つの文字、少なくとも１つの数字、図要素、またはデザイン要素を提示するメッセージングユニット１００の代表的な実施形態は、光源１１０用の基本的に矩形のハウジング１０５を備える。ハウジング１０５の形状は特定の外形に限定されず、以下にさらに説明するように、シューズまたは任意の他の衣料品に容易に一体化するよう適合され得る。
【００５７】
さらに、ハウジング１０５は、ハウジング１０５をシューズなど衣料品に装着するために、手段１１５を備えてよい。これは図１Ｂの実施形態において、ハウジング１０５の縁部に配置される連続した穴（図１Ｂには小さすぎて示されない）であってよく、それによってシューズの内側に縫合され得る。追加または代替として、装着のための手段１１５は、フックおよびループファスナ、押しボタン、ジッパ、磁石、または装着のための任意の他の適切な手段であってよい。さらにハウジング１０５は、シューズに溶接、接着剤で接着され得ることが考えられる。取り外し可能な装着は、たとえば不備なＬＥＤセットなどの光源の取り替えを可能にして、または、たとえば異なる文字、数字、記号もしくはデザイン要素を表示するために、異なるハウジングの別のセットによって光源を交換することを可能にする。
【００５８】
図１Ｂの代表的な実施形態において、ハウジング１０５は平坦な後面を備えてよい。この平坦な後面は、ハウジング１０５をシューズの内面の材料に接合するために使用され得る。このようなハウジング１０５の接合は、ハウジング１０５をシューズの内部に確実に位置付けることができるので、文字、数字、図記号、またはデザイン要素の提示をさらに改善し得る。ハウジング１０５の表面が、ハウジング１０５が装着されるシューズ表面の輪郭に適合できるように、柔軟であり得ることも考えられる。ハウジング１０５の外面は、ハウジング１０５が、シューズのかかと部の凸面形状の外面に容易に一体化され得るように、わずかに凸面であってもよい。本発明の別の実施形態において、ハウジング１０５の外面は、衣料品またはスポーツ用具の対応する表面に整合する、適応する、または容易な装着を可能にするように形成される。
【００５９】
図１Ｂで判るように、メッセージングユニット１００は別のハウジング１１７をさらに備えてよい。ハウジング１１７は、少なくとも１つのセンサ１２０、コントローラ１３０、外部に位置付けてもよい電源１４０、データ記憶装置、プログラミング手段１５０、およびインターフェース１６０などの構成要素を含んでよい。他の配置を容易に手配することができ、これは電子システム設計の技術分野の当業者には明白であろう。さらにハウジング１１７は、ここで言及した構成要素より少なく、または多くを含むこともできる。コントローラは、光源１１０の点滅を制御するように適合され、それによって、上記で説明した視覚残留効果によるシューズの動きによって、少なくとも１つの文字、少なくとも１つの数字、図記号、またはデザイン要素が表示され得る。この詳細な例において、コントローラを含むハウジング１１７と、光源１１０を含むハウジング１０５との間の接続は、ケーブル１１９であってよい。たとえばＢｌｕｅｔｏｏｔｈなどのワイヤレス接続が使用され得ることも考えられる。
【００６０】
一般的に、ＬＥＤが光源として使用され得る場合、それらは安価で、耐久性があり、容易に使用できる。追加または代替として、液晶ディスプレイ（ＬＣＤ）、デジタルライトプロジェクタ（ＤＬＰ）、有機発光ダイオード（ＯＬＥＤ）、白熱光源、エレクトロクロミックデバイスなどの、他の適切なタイプの光源が使用され得る。しかし、本発明に関連する「光源」という用語は広義に解釈されるべきであって、制御可能な方法で外部源から生成された光を反射、吸収、もしくは修正するデバイス、たとえば反射器、再帰反射器、フィルタ、波長可変フィルタ、またはほんの少数の例として吸収器もまた含むことができる。たとえば別の実施形態は、メッセージングユニットに示される光の反射を変えることによって、画像の表示を制御する。光源は単色であってもよい。代替として、多色光源が、カラー表示を生成するために使用されてもよい。
【００６１】
光源が複数の光ユニットを備える場合、メッセージングユニット１００に表示目的で使用される光ユニットの数は、各単一の光源のサイズ、配置長さ、用途に必要な空間および重さ、表示される記号、図、ロゴ、画像、数字、文字、もしくはメッセージの複雑さ、ならびに／または表示および提示の要件に依存し得る。さらに、光源１１０は用途に依存し、１つの寸法が１ｃｍ〜２０ｃｍ、好ましくは１ｃｍ〜１０ｃｍ、より好ましくは１ｃｍ〜５ｃｍ、さらに好ましくは１ｃｍ〜３ｃｍの範囲の長さを有し得る。
【００６２】
光源をオンとオフに切り替えることに加えて、光源の色を変えることによって、光の強度を変えることによって、または、たとえば光源、反射要素、もしくは吸収要素を傾けて、光源の配置もしくは位置合せを変えることによって、光源はさらに連続する方法で制御されてよい。
【００６３】
図１Ｂに示される実施形態において、光ユニットは直線列に沿って配置され、等間隔で離隔されている。しかし、当業者は多くの他の配置が使用できることが容易に理解されよう。たとえば光源は弧状、または他の円形要素、複数列、もしくは他の一次元および二次元パターンに配置されてもよい。さらに光源は、全て同じハウジング１１０に位置されても、１つまたは複数の別のハウジング（図示せず）に位置されてもよく、それらは文字、数字、図記号、またはデザイン要素を表示するために使用され得る。これらの別のハウジングは、たとえば複数の位置から、記号、図、ロゴ、画像、数字、文字、またはメッセージを表示するため、衣料品またはスポーツ用具の他の箇所に位置されてよい。これらの複数のハウジングは、事象が起こると、同じ記号、図、ロゴ、画像、数字、文字もしくはメッセージ、または代替として異なる記号、図、ロゴ、画像、数字、文字もしくはメッセージを表示し得る。なお、特定の事象が起こったときに、これらの複数のハウジングのうちのいくつかは、記号、図、ロゴ、画像、数字、文字、またはメッセージを表示し得る一方で、その他のハウジングは点滅しない。コントローラ１３０は、複数のハウジング内の光源を操作し、各ユニットの位置によって、記号、図、ロゴ、画像、数字、文字、またはメッセージの表示を最適にするように構成され得る。
【００６４】
多種多様なセンサが、メッセージユニットによるメッセージ表示を誘発するように使用され得る。例として、メッセージングユニット１００したがってシューズの加速度を計測するため、またはメッセージングユニットすなわちシューズの速度もしくは変位を導出するための、１つもしくは複数の一軸もしくは多軸加速器と、角加速度を測定するため、または角速度もしくは変位を導出するための一軸もしくは多軸ジャイロスコープと、位置および配向を判定するための慣性計測ユニットと、重力の方向に対するユニットの角度を判定するための傾斜センサと、たとえば地面もしくは他の対象物の接近を検出するための近接センサと、たとえば走行動作中に足と地面との間の衝撃を検出するための接点スイッチもしくは衝撃センサと、ステップカウンタと、ＧＰＳユニットなどと、もしくはそれらの組み合わせとが挙げられる。また計測は、たとえば走るときの足の着地もしくは押出し、もしくはボールとの接触などの１つもしくは複数の特有の事象のタイミング、または特有の事象が起こってから経過した時間を含み得る。他の例が、当業者には容易に特定され得る。
【００６５】
コントローラ１３０は、センサからの情報を処理し、この入力に対応して画像の表示を誘発し得る。本発明の１つの例において、コントローラは足の動作の直線スピードを判定し、一旦閾値スピード、好ましくは１〜１５ｍ／ｓ、たとえば５ｍ／ｓに到達すると、表示を誘発し得る。
【００６６】
別の例において、ジャイロスコープがシューズの角速度を導出するために使用され、一旦角速度が特定の閾値スピード、好ましくは５０〜６００°／ｓ、たとえば３００°／ｓを超過すると、画像を表示する。
【００６７】
コントローラは、図２Ｃおよび図２Ｄに示されるように全ての単語および図要素を提示するため、またはたとえば観客もしくはアスリートなどの着用者の見る角度の表示を最適化するよう光源１１０の点滅パターンを変えるために、メッセージングユニットしたがってシューズの位置、配向、速度、または加速度に基づいて、点滅の回数およびパターンを適合させてよい。
【００６８】
さらにコントローラは、たとえば確実にパターン、デザイン要素、記号、数字、文字、または画像が正しい配向、および／または判読可能もしくは認識可能に表示されるよう、動きの方向の計測を使用して光源１１０の点滅パターンを決定してよい。
【００６９】
本発明の別の例において、コントローラは、着用者のストライドパターンの演繹的知識を伴ってプログラミングされている。走行動作の間の足の着地または押出しの検出に基づき、コントローラは足のスピード、位置、および角度を予測でき、光源の点滅のタイミングおよびパターンを調整して、それによって表示を生成する。コントローラをプログラミングするために使用される演繹的知識は、シューズを使用する着用者からのデータに基づいてよく、またはコントローラは着用者達のより大きいグループから導出したデータに基づいてもよい。製造中または販売時に、着用者によってスポーツセッションに携わる前に、ユニットにプログラミングされてもよく、または、早い時間のインターバル中もしくは現在のセッション中に、前回のセッションでメッセージングユニットによって行われた計測に基づいてもよい。たとえば、着用者がアスリートである場合、メッセージングユニットはアスリートの以前の走行ストライドを計測し、これらの計測に基づいて現在のストライドの表示の根拠としてよい。代替または追加として、着用者のストライドパターンの演繹的知識によってコントローラをプログラミングする代わりに、プログラミング、換言すると較正は、着用者すなわちアスリート自身によって成され得る。この種の較正は、着用者によって誘発されてよく、スイッチを押す、またはスマートフォンもしくはモバイルデバイスにインストールされたアプリケーションを使用して始める、および／または終了することができる。
【００７０】
本発明の別の例において、コントローラは、たとえば重力に対するシューズの配向を導出し、この配向の計測に基づいて画像表示を誘発する。
【００７１】
画像表示は、外部の事象によっても誘発され得る。本発明の一実施形態において、観客またはオブザーバがコントローラに複数の光源１１０の配置の点滅を誘発するよう命令する。たとえば、観客またはオブザーバは、ワイヤレス接続（たとえばＷｉ−Ｆｉ、Ｂｌｕｅｔｏｏｔｈ、ＢＴＬＥ、ＧＳＭ、ＵＭＴＳ、ＬＴＥ、ＮＦＣ接続）でスマートフォンまたは別のモバイルデバイスによって、または、埋め込み式マイクロホンによって認識される特定の口頭指令、もしくは手をたたくことによって、光源の点滅を誘発させ得る。別の例で点滅は、たとえば競技場の複数の観客の拍手によって誘発され、それは埋め込み式マイクロホンによって認識される。別の例のように、点滅は、フォトダイオードもしくは任意の好適な検出器によって、または環境光の条件もしくは電飾の変化によって認識される外部の光信号によって誘発される。
【００７２】
さらに、コントローラ１３０は、事象の発生の組み合わせおよび追加の外部信号によって、光源１１０の点滅を開始するように適合され得る。したがって、追加の外部信号が点滅を誘発するために必要とされ得るので、追加の情報またはデザイン要素の表示は、より選択的となる。さらに、メッセージングユニットの使用中に、観客またはオブザーバは、設定ならびにメッセージングユニット１００の事象検出設定および誘発点を、１つまたは複数の外部信号を使用して調整できる。追加の外部信号は、たとえばＷｉ−Ｆｉ、Ｂｌｕｅｔｏｏｔｈ、ＧＳＭ、ＵＭＴＳ、ＬＴＥ、ＮＦＣなどのワイヤレス送信の共通規格の１つを使用する１つまたは複数のアンテナによって、ワイヤレスに受信され得る。
【００７３】
多軸加速度計がセンサ１２０として使用される場合、この加速度計は加速の方向を判定するように適合されてよい。たとえば加速度計は、加速度の１つから３つの物理的方向を判定するために、デカルト座標に対応する１つから３つの軸を使用してもよい。したがって、１つだけの軸が使用され得る場合、センサ１２０は、この単一の軸に沿った加速度の方向を判定し得る。この軸に対する偏差が判定され得るように、軸は事前較正され得ることも考えられる。追加また代替として、加速度計は行われた計測から重力の方向を推定してもよい。
【００７４】
代替えとして、メッセージングユニットのセンサ要素１２０は、より良好に動きを特徴付けるため、またはより複雑な動きもしくは事象もしくは追加の事象（たとえば単一のセンサでは検出できない事象）を検出するため、光源１１０の点滅を誘発して制御するために、より正確、完全、または複雑なデータが収集できるように、いくつかのセンサを含んでもよい。たとえば、センサ１２０は、たとえば地球重力に対する加速度計１２０の配向を判定するため、加速度計および少なくとも１つのジャイロスコープを含んでもよい。
【００７５】
一実施形態において、コントローラ１３０は、動作または加速度の判定された方向が、１つまたは複数の所定の方向と類似または認識される場合のみ、点滅を開始するように適合され得る。したがって点滅は、ボールをシュートする、および／またはジャンプなどの所定の動きによってのみ、開始され得る。任意の他の動きが、特定の方向に関連する特定の加速度値によって判定され得ることも考えられる。
【００７６】
多くのシナリオの中で、表示される文字、数字、記号、またはデザイン要素が残る一方で、異なる事象もしくは動きが検出されると、メッセージングユニットは異なるパターン、デザイン要素、記号、数字、文字、または画像を表示し得る。表示されたコンテンツが、内部的に、またはメッセージングユニットによって受信された外部信号に基づいて、動的に変化されることも考えられる。たとえば、好ましい一実施形態において、異なる閾値の速度に到達すると、異なる数字が表示される。別の実施形態において、たとえば閾値の速度に到達するか、またはショットされるなどの異なる動きパターンが検出されると、異なるメッセージが表示される。同様に、バスケットボール選手のジャンプの推定／計測高さが、直ちにジャンプ中に表示され得る。さらにサッカー選手の場合、ショット後のボールの計測された最大速度が、外部ユニットまたは外部器具によって直ちにメッセージユニットに送信され、次に観客のために表示され得る。
【００７７】
このような所定の動きまたは事象に関するデータは、たとえばデータ記憶装置１３５に記憶されてよく、「サッカー」、「バスケットボール」、「アメリカンフットボール」など複数の所定の選択可能なプロフィールのうちの一部としての別のユニットから、受信またはダウンロードされ得る。たとえば、「サッカー」というプロフィールはデータを含み、プロフィールが選択された場合に、そのデータによってプロセッサが、サッカー選手の強いショットまたはロングパスに対応するシューズの動きを識別することが可能になる。対照的に、「バスケットボール」というプロフィールは、点を取るときにバスケットボールで起こるような典型的なジャンプに対応するシューズの動きを識別するデータを含んでもよい。特定の動きの識別、およびそれによる点滅の開始は、追加もしくは代替としてシューズに取り付けられる、もしくは一体化される他のセンサ、またはメッセージングユニット１００との通信に依存してもよい。
【００７８】
メッセージングユニットによって表示されるパターンは、所定のパターン、デザイン要素、記号、数字、文字、もしくは画像であってもよく、または、パターンは現在の状況および着用者のパフォーマンスについての、命令または追加の情報を提供し得る。たとえばパターンは、動作のスピード、ステップした数、移動した距離などについての情報を提供し得る。たとえば一実施形態において、着用者が全速力で走るとき、メッセージングユニットはその動きのスピードを表示する。別の実施形態において、ショット後に表示されるストライプの色および幅が、ボールを打つ間のシューズのスピードを示す。
【００７９】
メッセージングユニット１００は、少なくとも１つの文字、図記号、またはデザイン要素のプログラミング方法１５０をさらに含む。たとえばプロセッサ１３３は、文字、数字、図要素、またはデザイン要素が上記の説明のように表示され得るように、データ記憶装置１３５の中に記憶された光源１１０の点滅のための命令を使用してもよい。この命令は、文字、図記号、またはデザイン要素を点滅に変換するためのコントローラ１３０のプロセッサ１３３によって使用される、すなわち点滅の回数およびダイオードの選択を決定する、符号化スキームを提供し得る。
【００８０】
メッセージングユニット１００は、少なくとも１つの文字、少なくとも１つの数字、図記号、またはデザイン要素を外部でプログラミングするための、インターフェース１６０をさらに含んでよい。インターフェース１６０は、ワイヤレスまたは有線でメッセージングユニット１００に結合されてもよく、プロセッサ１３３と通信し得る。したがって、表示されるアイテムはプログラミングされ得る。これは図１Ｃに、より詳細に説明される。
【００８１】
図１Ｂに示される例では、上述のプログラミングのためのインターフェース１６０として、ＵＳＢポートを使用する。追加または代替として、インターフェース１６０は、たとえばＷｉ−Ｆｉ、Ｂｌｕｅｔｏｏｔｈ、ＢＴＬＥ、ＧＴＭ、ＵＭＴＳ、ＬＴＥなどのワイヤレスであってよい。たとえば、着用者は、スマートフォン／タブレットコンピュータ、もしくは任意の他のアプリケーション対応のモバイルデバイスで作動するアプリケーションによって、表示される１つまたは複数の文字／記号／デザイン要素をプログラミングするため、ＷＬＡＮリンクをメッセージングユニットにセットアップしてよい。これは全ての着用者にとって、特に便利な方法であり、メッセージングユニットによって表示されるアイテムを、着用者が迅速に変えることができる。このようなアプリケーションは、メッセージングユニットの適切な作動を確認し、および／または欠陥のある光源などの不具合を検出するための、いくつかの試験ルーチンを実行するためにも使用され得る。
【００８２】
加えて、上記で説明したように、閾値の加速度値および所定の方向など、他のパラメータもまた選択可能となること、または外部からプログラミング可能となることが考えられる。上記で説明したように、ユニットは、「サッカー」、「バスケットボール」、「アメリカンフットボール」など複数の所定のプロフィールを提供、または受入れるように適用され、着用者によって容易に選択でき、次に何をどのような条件で表示するか決定できる。
【００８３】
メッセージングユニット１００は、電力を光源１１０、コントローラ１３０、およびセンサ１２０に供給するために、図１Ｂに示すように１つまたは複数のバッテリを電源１４０として備えてよい。追加または代替として、様々な他の電源の範囲が、メッセージングユニット１００に電力を提供するために利用できる。このような代替は、コンデンサ、燃料電池、またはエネルギー生成器を含み、それらは、たとえば、少なくとも１つの圧力要素などに基づき着用者の動きから、たとえばサーモパイルを使用して、着用者もしくは環境から発生した温度差および熱から、または、光電池もしくは着用者によって充電できる時計仕掛け機構の他のエネルギー生成システムなどを使用した光から、エネルギーを生成する。このような生成器は、メッセージユニット１００に電力を供給するのに必要なエネルギーの一部、または全部を提供するために使用され得る。それによって、メッセージングユニット１００が動作するのに必要なエネルギー貯蔵デバイスのサイズを低減し、またはこのようなエネルギー貯蔵デバイス（たとえばバッテリ）全ての必要性を軽減する。代替として、生成器は、メッセージングユニット１００に使用される任意のエネルギー貯蔵デバイスを充電するために使用され得る。使用される任意のバッテリは、非充電または充電可能であってよい。充電は、当業者に知られた多くの方法で行うことができ、有線または（たとえばＵＳＢ、ＮＦＣ、電磁誘導充電による）非接触充電技法を含む。
【００８４】
消費電力の管理を可能にするため、メッセージングユニットは上述のスイッチを含んでもよく、スイッチによってユニットに供給する電力をオンおよびオフに切り替えることができる。代替として、本発明の好ましい実施形態において、コントローラ１３０は、特定の無活動期間の後、たとえば特定の時間期間後、たとえば数分間程度の後に、動きが検出されないときは低電力モードに入る。加えて、動きが再びコントローラ１３０によって検出されると、ユニットは再び始動し、低電力モードから動作の通常モードに切り替えることができる。代替として、切り替えはワイヤレスで制御され得る。さらに別の実施形態において、たとえばチームの全ての選手のための複数のメッセージングユニットが、単一の放送無線信号によって作動されてもよい。さらに、電源またはバッテリ１４０は、それらが一緒に押され、かつ接点まで押圧されたときのみ電力を供給してもよい。たとえば、メッセージングユニット１００がシューズのかかと部におけるインソールの下に配置され得る場合、光源１１０の点滅は、足がシューズの内側に位置付けられたときにのみ作動され、しかし開始はされない。したがって、バッテリを一緒に接点まで押圧することによって、作動スイッチ制御として作用でき、メッセージユニット１００の不要な点滅による電力消費は低減され得る。別の選択肢は、上記で説明したような自動起動機能を有し得る。
【００８５】
事象に応答して、少なくとも１つの文字、少なくとも１つの数字、図記号、またはデザイン要素を表示することに加えて、メッセージングユニットは「視覚残留」画像の他に「通常の」図または画像も表示され得る。メッセージングユニット１００は光源を点灯または点滅させて、静止ロゴ、色要素または広告と同様のパターンを、シューズ上に作り出し得る。事象が検出されると、次にメッセージユニットはこの点滅パターンを変えることができ、「視覚残留」画像を生成するためにメッセージングユニットの動きを使用して、少なくとも１つの文字、少なくとも１つの数字、図記号、またはデザイン要素を表示する。
【００８６】
図１Ｂに示されるメッセージングユニットは、シューズに一体化される。この一体化は、図２Ａ〜図２Ｄを参照して以下でさらに説明される。
【００８７】
図１Ｃは、たとえばサッカーシューズなどの衣料品１９０に一体化されたメッセージングユニット１００の、概略実施形態を提示する。メッセージングユニット１００は、上述のようにワイヤレス接続１９５を介して、シューズ１９０の着用者または観客などの見る人１８０の、たとえばスマートフォンまたは任意の他の好適なモバイルデバイスなどの遠隔コントローラ１９２と、ワイヤレスに結合され得る。見る人１８０は、ワイヤレス接続１９５による遠隔コントローラ１９２を介して、メッセージングユニット１００をプログラミング、またはアップデートすることができる。プログラミングまたはアップデートは、遠隔デバイスにインストールされたアプリケーションを介して行われ得る。メッセージングユニット１００は、上述のように自動動作によって作動され得るが、見る人１８０によって手動でも、ワイヤレス接続１９５による遠隔コントローラ１９２を介してでも誘発され得る。たとえば、見る人１８０がシューズ１９０の着用者である場合、彼はゴールにシュートするアスリートの状況、もしくは通りを歩くような一般生活の状況におけるメッセージングユニット１００の点滅を作動させ得る。
【００８８】
さらに、メッセージングユニットは、たとえば深層学習アルゴリズムのような機械学習を使用して誘発され得る。たとえば、誘発させることは、事前に記憶された事象の知られている信号を使用して規定された、ボールをシュートするなどの事象のテンプレートと整合することを備えてよい。整合することは、相互関係、整合フィルタリング、動的タイムワーピング、または最長共通部分列（ＬＣＳＳ）、およびそのスライディングウィンドウの変形であるワーピングＬＣＳＳに基づいてよい。
【００８９】
さらに、誘発することは、ナイーブベイズ分類器のような単純ベイズ分類器、サポートベクトルマシンのような最大マージン分類器、アダブースト分類器およびランダムフォレスト分類器などのアンサンブル学習アルゴリズム、最近傍識別機、ニューラルネットワーク分類器、ルール依存分類器、またはツリー型分類器に基づいて事象を推定する方法を使用することを含んでよい。誘発することは、相互関係、整合フィルタリング、動的タイムワーピング、最長共通部分列（ＬＣＳＳ）、およびそのスライディングウィンドウの変形であるワーピングＬＣＳＳを使用するテンプレートの整合によって、事象を検出することも含んでよい。代替または追加として、誘発することは、特徴を処理することを含んでよい。この特徴は、たとえばウェーブレット解析、高速フーリエ変換（ＦＦＴ）、または主成分分析（ＰＣＡ）を適用することによって、時間、時空、スペクトル、またはアンサンブル統計のうちの少なくとも１つに基づき得る。さらに、この特徴は、単純平均、正規信号エネルギー、運動強度、信号強度領域、軸間の相互関係、ウィンドウ内の最大値、ウィンドウ内の最小値、ウェーブレット変換の最大詳細係数、テンプレートとの相互関係、テンプレートの主要構成要素上への投射、テンプレートの固有空間への距離、スペクトル中心、帯域幅、または卓越振動数のうちの１つに基づいてよい。これらの種類の特徴は、人の動作と関連付けられる事象の確実な判定を可能にすることが見出された。
【００９０】
図２Ａ〜図２Ｄは、本発明によるメッセージングユニット２０５を備えるシューズ２００、詳細にはサッカーシューズと、本発明の基礎を成す、少なくとも１つの文字、少なくとも１つの数字、図要素、またはデザイン要素を提示するための原理の例示とを、提示する。より詳細には、図２Ａおよび図２Ｂは、各々シューズ２００の上面図および側面図を提示する。メッセージングユニット２０５は、メッセージングユニット１００と同じであってもよい。さらに、図２Ｃおよび図２Ｄは、上記の説明のように、少なくとも１つの文字、少なくとも１つの数字、図要素、またはデザイン要素を提示するための、視覚残留効果の例示を提示する。
【００９１】
図２Ａで判るように、メッセージングユニット２０５はシューズ２００のかかと部２０７に配置されてよい。メッセージングユニット２０５は、中足部もしくは甲部など、シューズ２００の他の部分に配置されてもよいこと、または１つだけのメッセージングユニット２０５が、シューズ２００の異なる箇所に配置される異なる要素を備えることも、考えられる。さらにシューズ２００は、２つ以上のメッセージングユニット１００、または、たとえば１つはシューズの中央側、１つは側方の２つ以上の光源を含む１つのメッセージングユニットを備えてもよい。図２Ｂの実施形態において、複数の光源２１０の単一の配置のみがあって、それはシューズ２００の側方に配置されている。図１Ｂに記載されるように、メッセージングユニット２０５の少なくとも１つのセンサ、コントローラ、および電源は、シューズ２００のインソールの下に配置され得る。さらに、メッセージングユニット２０５は、可撓性ワイヤ２７０によってメッセージングユニット２０５と接続され得る、前述のスイッチ２８０を備えてもよい。有利には、スイッチ２８０は、可撓ワイヤによって簡単にシューズ２００から取り出せる。
【００９２】
図２Ｂで判るように、光源２１０は、上記で説明したように回路上の表面実装型ＬＥＤであってもよい。光源２１０は、シューズ２００のソールからアッパー側方向に延びる列に配置され得る。このようなＬＥＤの配置によって、下記で説明するように、文字、数字、図記号、またはデザイン要素が提示され得る。
【００９３】
図２Ｃおよび図２Ｄは、シューズ２００を使用して、少なくとも１つの文字、少なくとも１つの数字、図要素、またはデザイン要素を提示するための、視覚残留効果の例示を提示する。図２Ｃおよび図２Ｄで判るように、シューズ２００の着用者は脚を動かす（破線の矢印で示す）。この動きは走行またはボールのシュートに対応し得る。メッセージングユニットが、たとえば水平軸で１．５ｇの特定の閾値を超える加速度の事象を検出すると、コントローラは、事前にプログラミングされた光の点滅のシーケンスを誘発する。光の点滅のシーケンスは、文字２９０「ａ」、「ａ」、「ｓ」（図２Ｃ）と、シューズ２００の動きに実質的に平行である薄いストリップ２９０とから成る「視覚残留」原理を使用して、オブザーバから認識可能な画像を生成する。図２Ｄでは、三角形２９５が同じ方法で表示され得る。文字およびストリップ２９０は、三角形２９５の表示とは異なる事象によって誘発され得る。
【００９４】
一実施形態において、上記で説明したアルゴリズムが、脚の動きの遊脚相（swing phase）を検出し得る。任意の他の相（および、それによる動きの開始または作動）が検出され得ることもまた考えられる。さらに、メッセージングユニットが、特定の時間期間、好ましくは１０〜６０秒、より好ましくは２０〜５０秒、最も好ましくは３０秒の相の間に点滅を開始するために、数回たとえば３回タップされ得ることも可能である。さらに、メッセージングユニットが、連続のループ内でこれらの時間期間点滅してもよい。
【００９５】
追加または代替として、着用者は、コントローラ１３０などのコントローラに記憶された点滅シーケンスをプログラミングし直すか、または直接的もしくは遠隔のいずれかで作動される選択スイッチを使用して、コントローラ１３０に予め記憶されたシーケンスを選択するかを選んで、異なるメッセージ、ロゴ、画像、または記号を表示し得る。代替として、点滅シーケンスは、たとえばテレビのプロデューサまたは観客などのオブザーバによって遠隔で変えることができる。
【００９６】
したがって、シューズ２００は、このようなシューズを着用するプロのサッカー選手もしくはアマチュアのサッカー選手などの着用者が、競技場もしくはテレビの前の観客によって、または休憩中の催し中に他の選手もしくは観客によって確実に認識され得る、情報もしくはデザイン要素を提示し得るという可能性を、初めて提供する。
なお、本発明には、以下の実施形態が含まれる。
〔１〕
衣料品（２００）のためのメッセージングユニット（１００、２０５）であって、少なくとも１つの文字、少なくとも１つの数字、図記号、またはデザイン要素（２９０）を提示し、
ａ．前記少なくとも１つの文字も、少なくとも１つの数字も、図記号も、またはデザイン要素も形成しない光源（１１０、２１０）と、
ｂ．事象を検出するよう適合される少なくとも１つのセンサ（１２０）と、
ｃ．前記少なくとも１つの数字、図記号またはデザイン要素（２９０）が見る人によって認識され得るように、前記事象の検出に応答して前記光源（１１０、２１０）の点滅を制御するよう適合されたコントローラ（１３０）とを含む、メッセージングユニット（１００、２０５）。
〔２〕
前記光源（１１０、２１０）が発光ダイオードを備える、上記〔１〕に記載のメッセージングユニット（１００、２０５）。
〔３〕
前記光源（１１０、２１０）が、１つの寸法の長さが１ｃｍ〜５ｃｍ、好ましくは１ｃｍ〜４ｃｍ、より好ましくは１ｃｍ〜３ｃｍ、さらに好ましくは１ｃｍ〜２ｃｍの範囲にある、上記〔１〕または〔２〕に記載のメッセージングユニット（１００、２０５）。
〔４〕
閾値の速度値に到達すると、前記コントローラが、前記光源（１１０、２１０）の点滅を開始するようにさらに適合される、上記〔１〕〜〔３〕のいずれか１項に記載のメッセージングユニット（１００、２０５）。
〔５〕
閾値の加速度値に到達すると、前記コントローラが、前記光源（１１０、２１０）の点滅を開始するようにさらに適合される、上記〔１〕〜〔４〕のいずれか１項に記載のメッセージングユニット（１００、２０５）。
〔６〕
前記閾値の加速度値が、１ｇ〜５ｇ、好ましくは１ｇ〜３ｇ、最も好ましくは１．５ｇ〜２．５ｇの範囲である、〔５〕に記載のメッセージングユニット（１００、２０５）。
〔７〕
前記少なくとも１つのセンサ（１２０）が動作の方向を判定するようにさらに適合される、上記〔１〕〜〔６〕のいずれか１項に記載のメッセージングユニット（１００、２０５）。
〔８〕
前記コントローラ（１３０）は、前記判定された動作の方向が、１つもしくは複数の所定の方向と類似しているか又は１つもしくは複数の所定の方向として認識される場合にのみ、点滅を開始するようにさらに適合されている、〔７〕に記載のメッセージングユニット（１００、２０５）。
〔９〕
前記所定の方向がボールのシュートに対応する、〔８〕に記載のメッセージングユニット（１００、２０５）。
〔１０〕
前記所定の方向が、前記衣料品（２００）の着用者のジャンプに対応する、〔８〕に記載のメッセージングユニット（１００、２０５）。
〔１１〕
前記コントローラ（１３０）が、前記動作の前記所定の方向の加速度値に依存して点滅の回数を制御するようにさらに適合される、上記〔１〕〜〔１０〕のいずれか１項に記載のメッセージングユニット（１００、２０５）。
〔１２〕
前記少なくとも１つの文字、少なくとも１つの数字、図記号またはデザイン要素（２９０）をプログラミングするための手段（１５０）をさらに備える、上記〔１〕〜〔１１〕のいずれか１項に記載のメッセージングユニット（１００、２０５）。
〔１３〕
前記少なくとも１つの文字、少なくとも１つの数字、図記号またはデザイン要素（２９０）を外部でプログラミングするためのインターフェース（１６０）をさらに備える、上記〔１〕〜〔１２〕のいずれか１項に記載のメッセージングユニット（１００、２０５）。
〔１４〕
前記コントローラ（１３０）が、追加の外部信号の受信に依存して、複数の前記光源（１１０、２１０）の点滅を開始するようにさらに適合される、上記〔１〕〜〔１３〕のいずれか１項に記載のメッセージングユニット（１００、２０５）。
〔１５〕
前記コントローラ（１３０）が、好ましくは前記少なくとも１つのセンサ（１２０）を使用して、前記衣料品の着用者の走行距離および／またはスピードを追跡するようさらに適合されている、上記〔１〕〜〔１４〕のいずれか１項に記載のメッセージングユニット（１００、２０５）。
〔１６〕
前記少なくとも１つのセンサ（１２０）が、加速度計、ジャイロスコープ、磁気計、慣性計測ユニットなどの運動検知デバイス、接触スイッチもしくは近接センサなどの近接検知デバイス、または傾斜センサのような配向検知デバイスの群のうちの少なくとも１つを備える、上記〔１〕〜〔１５〕のいずれか１項に記載のメッセージングユニット（１００、２０５）。
〔１７〕
上記〔１〕〜〔１６〕のいずれか１項に記載のメッセージングユニット（１００、２０５）を備える、衣料品。
〔１８〕
シューズ、特にスポーツシューズ、衣類、または着用できる装飾品である、上記〔１７〕に記載の衣料品。
〔１９〕
前記衣料品が前記シューズで、前記光源（１１０、２１０）が前記シューズ（２００）の側方に配置される、上記〔１８〕に記載の衣料品。
〔２０〕
前記衣料品が前記シューズで、前記光源（１１０、２１０）が前記シューズ（２００）のかかと部（２０７）に配置される、上記〔１８〕または〔１９〕に記載の衣料品。
【符号の説明】
【００９７】
１００  メッセージングユニット
１０５  ハウジング
１１０  光源
１１７  ハウジング
１１９  ケーブル
１２０  センサ
１３０  コントローラ
１３３  プロセッサ
１３５  データ記憶装置
１４０  電源
１５０  プログラミング手段
１６０  インターフェース
１６５  マイクロホン
１７０  可撓性ワイヤ
１８０  見る人
１９０  シューズ、衣料品
１９２  遠隔コントローラ
１９５  ワイヤレス接続
２００  シューズ
２０５  メッセージングユニット
２０７  かかと部
２１０  光源
２７０  可撓性ワイヤ
２８０  スイッチ
２９０  文字、ストリップ、デザイン要素
２９５  三角形
【図１Ａ】
2018096023.tif 000003
【図１Ｂ】
2018096023.tif 000004
【図１Ｃ】
2018096023.tif 000005
【図２Ａ】
2018096023.tif 000006
【図２Ｂ】
2018096023.tif 000007
【図２Ｃ】
2018096023.tif 000008
【図２Ｄ】
2018096023.tif 000009
【外国語明細書】
2018096023000001.pdf